(57)【要約】      （修正有）【課題】使用者に装着されるバッテリと、電動工具に装着されるアダプタと、バッテリとアダプタとを接続するコードとを有する電動工具において、屈曲したコードから電動工具に力が作用し電動工具の操作性が低下することを抑制するバッテリ装置の提供。【解決手段】電動工具１０のバッテリ装着部１３に装着されるアダプタ２３と、バッテリ２１に接続されるコード２４と、アダプタとコードとを相対移動可能に連結する連結装置１００とを備えるバッテリ装置２０。【選択図】図１
2019096417.tif 000002
【特許請求の範囲】
【請求項１】
電動工具のバッテリ装着部に装着されるアダプタと、
バッテリに接続されるコードと、
前記アダプタと前記コードとを相対移動可能に連結する連結装置と、
を備えるバッテリ装置。
【請求項２】
前記連結装置は、前記アダプタに相対移動可能に支持される可動部材と、前記可動部材に相対移動可能に支持され前記コードを保持する保持部材とを含む、
請求項１に記載のバッテリ装置。
【請求項３】
前記連結装置は、第１回転軸を中心に回転可能に前記可動部材を支持する第１支持機構と、第２回転軸を中心に回転可能に前記保持部材を支持する第２支持機構とを含む、
請求項２に記載のバッテリ装置。
【請求項４】
前記第１回転軸に平行な軸と前記第２回転軸とは直交する、
請求項３に記載のバッテリ装置。
【請求項５】
前記アダプタは、スライド機構を介して前記バッテリ装着部に装着され、
前記スライド機構による前記アダプタのスライド方向に平行な軸と前記第１回転軸とは直交する、
請求項３又は請求項４に記載のバッテリ装置。
【請求項６】
前記第１支持機構は、前記第１回転軸を中心に９０［°］相対回転可能に前記可動部材を支持し、
前記第２支持機構は、前記第２回転軸を中心に１８０［°］相対回転可能に前記保持部材を支持する、
請求項３から請求項５のいずれか一項に記載のバッテリ装置。
【請求項７】
前記可動部材は、前記アダプタに支持される第１部材と、前記第１部材に着脱可能に接続され、前記第１部材に接続された状態で前記第１部材と通電可能な第２部材とを含む、
請求項２から請求項６のいずれか一項に記載のバッテリ装置。
【発明の詳細な説明】
【技術分野】
【０００１】
本発明は、バッテリ装置に関する。
【背景技術】
【０００２】
特許文献１に開示されているような電動工具のバッテリ装置が知られている。特許文献１に開示されているバッテリ装置は、使用者に装着されるバッテリと、電動工具に装着されるアダプタと、バッテリとアダプタとを接続するコードとを有する。
【先行技術文献】
【特許文献】
【０００３】
【特許文献１】特開２０１２−０５４００７号公報
【発明の概要】
【発明が解決しようとする課題】
【０００４】
電動工具の使用中にコードが過度に屈曲すると、屈曲したコードから電動工具に力が作用する。コードから電動工具に作用する力により、電動工具の操作性が低下する可能性がある。
【０００５】
本発明の態様は、電動工具の操作性の低下を抑制することを目的とする。
【課題を解決するための手段】
【０００６】
本発明の態様に従えば、電動工具のバッテリ装着部に装着されるアダプタと、バッテリに接続されるコードと、前記アダプタと前記コードとを相対移動可能に連結する連結装置と、を備えるバッテリ装置が提供される。
【発明の効果】
【０００７】
本発明の態様によれば、電動工具の操作性の低下を抑制することができる。
【図面の簡単な説明】
【０００８】
【図１】図１は、第１実施形態に係るバッテリ装置の一例を模式的に示す側面図である。
【図２】図２は、第１実施形態に係るバッテリ装置の一例を模式的に示す斜視図である。
【図３】図３は、第１実施形態に係るバッテリ装着部及びアダプタの一例を示す斜視図である。
【図４】図４は、第１実施形態に係るバッテリ装着部及びアダプタの一例を示す斜視図である。
【図５】図５は、本実施形態に係るバッテリ装着部の一例を示す平面図である。
【図６】図６は、第１実施形態に係る第１支持機構の一例を下方から見た図である。
【図７】図７は、第１実施形態に係る第１支持機構の一例を示す側断面図である。
【図８】図８は、第１実施形態に係る第２支持機構の一例を示す斜視図である。
【図９】図９は、第１実施形態に係る連結装置の動作を説明するための側面図である。
【図１０】図１０は、第１実施形態に係る連結装置の動作を説明するための下方から見た平面図である。
【図１１】図１１は、第１実施形態に係るバッテリ装置の使用例を模式的に示す図である。
【図１２】図１２は、第２実施形態に係るバッテリ装置の一例を模式的に示す側面図である。
【図１３】図１３は、第３実施形態に係るバッテリ装置の一例を模式的に示す斜視図である。
【発明を実施するための形態】
【０００９】
以下、本発明に係る実施形態について図面を参照しながら説明するが、本発明はこれに限定されない。以下で説明する実施形態の構成要素は、適宜組み合わせることができる。また、一部の構成要素を用いない場合もある。
【００１０】
＜第１実施形態＞
［バッテリ装置］
図１は、本実施形態に係るバッテリ装置２０の一例を模式的に示す側面図である。バッテリ装置２０は、電動工具１０に接続され、電動工具１０に電力を供給する。
【００１１】
電動工具１０は、インパクトドライバである。なお、電動工具１０は、インパクトドライバに限定されない。電動工具１０として、ドライバードリル、丸鋸、ジグソー、チェーンソー、刈払機、釘打ち機、ハンマ、ヘッジトリマ、グラインダー、及びその他の電動工具が例示される。
【００１２】
電動工具１０は、工具本体部１１と、工具本体部１１の下部に設けられるグリップ部１２と、グリップ部１２の下部に設けられるバッテリ装着部１３とを備える。
【００１３】
工具本体部１１は、工具１４を駆動する。工具１４は、例えばドライバビットである。工具本体部１１は、ケース１５と、ケース１５の内部に収容される電動モータ、ギヤ機構、及び回転打撃機構とを有する。回転打撃機構の出力軸の先端部がケース１５から前方に突出する。回転打撃機構の出力軸の先端部に工具装着部１６が設けられる。工具１４は、工具装着部１６に装着される。
【００１４】
グリップ部１２は、電動工具１０の使用者に保持される。グリップ部１２は、ケース１７と、ケース１７の内部に収容されるメインスイッチとを有する。グリップ部１２の前部にトリガ１８が設けられる。トリガ１８は、使用者に操作される。トリガ１８が操作されると、ケース１７の内部に収容されているメインスイッチが操作され、電動モータが作動する。電動モータで発生した動力は、ギヤ機構を介して回転打撃機構に伝達される。回転打撃機構は、工具装着部１６に装着されている工具１４を駆動する。
【００１５】
図２は、本実施形態に係るバッテリ装置２０の一例を模式的に示す斜視図である。図１及び図２に示すように、バッテリ装置２０は、バッテリ２１を含む本体ユニット２２と、電動工具１０のバッテリ装着部１３に装着されるアダプタ２３と、バッテリ２１に接続されるコード２４と、アダプタ２３とコード２４とを相対移動可能に連結する連結装置１００とを備える。
【００１６】
バッテリ２１は、電動工具１０の電源として機能する。バッテリ２１は、複数のバッテリセルを有するリチウムイオンバッテリである。バッテリ２１は、充電式バッテリである。バッテリ２１は、充電器で充電可能である。
【００１７】
本体ユニット２２は、バッテリ２１を収容するケース２５と、ケース２５に設けられるフック２６とを有する。ケース２５は、ケース本体２５Ａと、ヒンジ機構を介してケース本体２５Ａに連結される蓋２５Ｂとを有する。バッテリ２１は、ケース２５の内部に収容される。ケース２５の内部に収容されるバッテリ２１は、１個でもよいし複数個でもよい。バッテリ２１は、ケース本体２５Ａの内部に挿入され、ケース本体２５Ａの内部に配置されている電源回路と通電可能に接続される。蓋２５Ｂは、スライドロック２７によってロックされる。
【００１８】
ケース本体２５Ａの背面２５Ｃは、使用者の腰に沿うように湾曲する。フック２６は、背面２５Ｃに設けられる。使用者の腰ベルトにフック２６が掛けられる。また、ケース本体２５Ａに一対の腰ベルト通し孔２５Ｄが設けられる。使用者の腰ベルトが腰ベルト通し孔２５Ｄに通される。これにより、本体ユニット２２が使用者の腰に装着される。
【００１９】
また、ケース本体２５Ａに一対の肩ベルト掛け部２５Ｅが設けられる。使用者の肩ベルトが肩ベルト掛け部２５Ｅに通される。これにより、本体ユニット２２が使用者の肩に掛けられる。
【００２０】
アダプタ２３は、バッテリ装着部１３に装着される。バッテリ装着部１３に装着されたアダプタ２３は、電動工具１０と通電可能である。アダプタ２３は、所謂ダミーバッテリである。アダプタ２３の外形及び寸法とバッテリ２１の外形及び寸法とは実質的に同一である。アダプタ２３は、バッテリセルを有してなく、バッテリ２１よりも軽量である。アダプタ２３は、電動工具１０の電源として機能せず、バッテリ２１からの電力を電動工具１０に送る中継器として機能する。
【００２１】
コード２４は、バッテリ２１とアダプタ２３とを通電可能に接続する。バッテリ２１は、コード２４及びアダプタ２３を介して電動工具１０に電力を供給する。コード２４の一端部は、コネクタ２８を介して本体ユニット２２のバッテリ２１に接続される。コード２４の他端部は、連結装置１００を介してアダプタ２３に接続される。
【００２２】
コード２４は、コネクタ２８を介して本体ユニット２２に着脱可能に接続される。コネクタ２８は、ケース２５の底部に設けられる第１コネクタと、コード２４の一端部に設けられる第２コネクタとを含む。第１コネクタは、凸部を含み、第２コネクタは、凹部を含む。第１コネクタが第２コネクタに挿入されることにより、コード２４とケース２５の内部に収容されているバッテリ２１とが通電可能に接続される。第１コネクタが第２コネクタから抜去されることにより、コード２４とケース２５の内部に収容されているバッテリ２１とが分離する。
【００２３】
図３及び図４は、本実施形態に係るバッテリ装着部１３及びアダプタ２３の一例を示す斜視図である。図３は、バッテリ装着部１３にアダプタ２３が装着された状態を示す。図４は、バッテリ装着部１３からアダプタ２３が外された状態を示す。
【００２４】
アダプタ２３は、バッテリ装着部１３に着脱可能に装着される。アダプタ２３は、ハウジング５０と、ハウジング５０の内部に収容される電気回路及び電気ケーブルとを有する。ハウジング５０は、下面５１と、前面５２と、後面５３と、右側面５４と、左側面５５と、上面５６とを有する。
【００２５】
アダプタ２３は、スライド機構８０を介してバッテリ装着部１３に装着される。アダプタ２３にスライド部材８１が設けられる。スライド機構８０は、バッテリ装着部１３に設けられスライド部材８１をスライド方向にガイドするガイド部材８２を有する。
【００２６】
アダプタ２３は、ガイド部材８２にガイドされながらバッテリ装着部１３をスライド方向の一方側に移動することにより、バッテリ装着部１３に装着される。アダプタ２３がバッテリ装着部１３に装着され、バッテリ装着部１３の接続端子に接続されることにより、アダプタ２３の電気回路及び電気ケーブルと電動工具１０とは通電可能に接続される。アダプタ２３と電動工具１０とが通電可能に接続されることにより、本体ユニット２２のバッテリ２１が、コード２４及びアダプタ２３を介して電動工具１０に通電可能に接続される。これにより、バッテリ２１から電動工具１０に電力が供給される。
【００２７】
アダプタ２３は、ガイド部材８２にガイドされながらバッテリ装着部１３をスライド方向の他方側に移動することにより、バッテリ装着部１３から外される。
【００２８】
なお、バッテリ２１は、バッテリ装着部１３に直接的に装着可能である。バッテリ２１は、バッテリ装着部１３に装着された状態で、電動工具１０に電力を供給することができる。
【００２９】
連結装置１００は、アダプタ２３に相対移動可能に支持される可動部材３０と、可動部材３０に相対移動可能に支持されコード２４を保持する保持部材４０とを含む。
【００３０】
また、連結装置１００は、第１回転軸ＡＸ１を中心に相対回転可能に可動部材３０を支持する第１支持機構３３と、第２回転軸ＡＸ２を中心に相対回転可能に保持部材４０を支持する第２支持機構３４とを含む。
【００３１】
可動部材３０は、第１支持機構３３を介してアダプタ２３に連結される。保持部材４０は、第２支持機構３４を介して可動部材３０に連結される。コード２４の一端部は、保持部材４０に保持される。第１回転軸ＡＸ１に平行な軸と第２回転軸ＡＸ２とは直交する。
【００３２】
可動部材３０は、アダプタ２３に支持される第１部材３１と、第１部材３１に着脱可能に接続され、第１部材３１に接続された状態で第１部材３１と通電可能な第２部材３２とを含む。第１部材３１は、第１支持機構３３を介してアダプタ２３に連結される。保持部材４０は、第２支持機構３４を介して第２部材３２に連結される。
【００３３】
図５は、本実施形態に係るバッテリ装着部１３の一例を示す平面図である。図５に示すように、バッテリ装着部１３は、アダプタ２３と通電可能に接続される工具側接続端子９１を有する。図２に示すように、アダプタ２３は、バッテリ装着部１３と通電可能に接続されるアダプタ側接続端子９２を有する。また、アダプタ２３は、バッテリ装着部１３と信号を送受信する信号端子９３を有する。アダプタ２３がバッテリ装着部１３に装着されることにより、バッテリ装着部１３の工具側接続端子９１と、アダプタ２３のアダプタ側接続端子９２とが通電可能に接続される。
【００３４】
図６は、本実施形態に係る第１支持機構３３の一例を下方から見た図である。図７は、本実施形態に係る第１支持機構３３の一例を示す側断面図である。
【００３５】
図６及び図７に示すように、第１部材３１は、円柱状の部材である。第１部材３１は、第１回転軸ＡＸ１を中心に回転可能に第１支持機構３３に支持される。第１部材３１の少なくとも一部は、第１回転軸ＡＸ１の周囲に配置される。スライド機構８０によるアダプタ２３のスライド方向に平行な軸と第１回転軸ＡＸ１とは直交する。
【００３６】
下面５１の中央部に開口６０が設けられる。第１部材３１は、開口６０に配置される。第１部材３１の下面の周囲にハウジング５０の下面５１が配置される。第１部材３１は、開口６０の内側で、第１回転軸ＡＸ１を中心に回転する。
【００３７】
第１支持機構３３は、ハウジング５０に設けられたガイド溝３５を含む。ガイド溝３５は、開口６０の内面において、第１回転軸ＡＸ１を囲むように形成される。
【００３８】
第１部材３１は、円柱部３６と、円柱部３６の外面に設けられるフランジ部３７とを有する。フランジ部３７は、第１回転軸ＡＸ１の放射方向において円柱部３６の外面から外側に突出する。フランジ部３７は、ガイド溝３５に配置される。フランジ部３７が第１支持機構３３のガイド溝３５にガイドされながら、第１部材３１は、第１回転軸ＡＸ１を中心に回転する。
【００３９】
ガイド溝３５は、フランジ部３７の上面に対向する第１ガイド面３５Ａと、フランジ部３７の下面３７Ｂに対向する第２ガイド面３５Ｂと、フランジ部３７の外面に対向する第３ガイド面３５Ｃとを有する。第１ガイド面３５Ａ及び第２ガイド面３５Ｂにより、第１回転軸ＡＸ１と平行な方向におけるアダプタ２３と第１部材３１との相対移動が制限される。第３ガイド面３５Ｃにより、第１回転軸ＡＸ１の放射方向におけるアダプタ２３と第１部材３１との相対移動が制限される。第１部材３１は、第１回転軸ＡＸ１と平行な方向におけるアダプタ２３との相対移動が制限され、第１回転軸ＡＸ１の放射方向におけるアダプタ２３との相対移動が制限された状態で、第１回転軸ＡＸ１を中心に回転可能に第１支持機構３３に支持される。
【００４０】
第１部材３１の円柱部３６は、第１回転軸ＡＸ１の周囲に配置される周壁部３６Ａと、周壁部３６Ａの上端部に接続される円板部３６Ｂとを含む。第１部材３１は、下方に開口する凹部３８を有する。凹部３８は、周壁部３６Ａの内面と円板部３６Ｂの下面とによって規定される。凹部３８の内側に複数の接続端子６１が設けられる。接続端子６１は、円板部３６Ｂの下面から下方に突出する。接続端子６１は、ハウジング５０の内部に収容されている電気回路に通電可能に接続される。
【００４１】
第１支持機構３３は、第１回転軸ＡＸ１を中心に実質的に９０［°］回転可能に第１部材３１を支持する。第１部材３１は、アダプタ２３に対して実質的に９０［°］だけ回転する。第１支持機構３３は、ガイド溝３５の内部に設けられたストッパ部材３９を有する。ストッパ部材３９は、ガイド溝３５の第１ガイド面３５Ａから下方に突出する。
【００４２】
第１部材３１は、フランジ部３７の上面に設けられた溝６２を有する。第１回転軸ＡＸ１と直交する面内において、溝６２は円弧状である。第１回転軸ＡＸ１を中心とする回転方向において、溝６２の一端部の壁面６２Ａと他端部の壁面６２Ｂとがなす角度は、実質的に９０［°］である。
【００４３】
ストッパ部材３９は、溝６２の内側に配置される。第１回転軸ＡＸ１を中心に第１部材３１が回転すると、ストッパ部材３９と溝６２とは相対移動する。第１回転軸ＡＸ１を中心に第１部材３１が正方向に回転すると、ストッパ部材３９と溝６２の壁面６２Ａとが接触する。ストッパ部材３９と溝６２の壁面６２Ａとの接触により、第１部材３１の正方向への回転が制限される。第１回転軸ＡＸ１を中心に第１部材３１が逆方向に回転すると、ストッパ部材３９と溝６２の壁面６２Ｂとが接触する。ストッパ部材３９と溝６２の壁面６２Ｂとの接触により、第１部材３１の逆方向への回転が制限される。ストッパ部材３９と壁面６２Ａ及び壁面６２Ｂとの接触により、第１部材３１は、第１回転軸ＡＸ１を中心に実質的に９０［°］の範囲で回転可能である。
【００４４】
図８は、本実施形態に係る第２支持機構３４の一例を示す斜視図である。図８に示すように、第２部材３２は、円筒状の部材である。
【００４５】
保持部材４０は、第２回転軸ＡＸ２を中心に回転可能に第２支持機構３４を介して第２部材３２に支持される。保持部材４０は、第２部材３２の外面の第１領域３２Ａに対向する第１対向部４１と、第２部材３２の外面の第２領域３２Ｂに対向する第２対向部４２と、第１対向部４１及び第２対向部４２を支持するベース部４３とを含む。第２部材３２の外面の第１領域３２Ａは、第２部材３２の中心軸に対して一方側に規定される。第２部材３２の外面の第２領域３２Ｂは、第２部材３２の中心軸に対して他方側に規定される。
【００４６】
第２部材３２の第１領域３２Ａと保持部材４０の第１対向部４１とは、第１ピン部材４４Ａを介して連結される。第２部材３２の第２領域３２Ｂと保持部材４０の第２対向部４２とは、第２ピン部材４４Ｂを介して連結される。第１ピン部材４４Ａの先端部は、第２部材３２の第１領域３２Ａに固定され、第１ピン部材４４Ａの他端部は、軸受を介して第１対向部４１に回転可能に支持される。第２ピン部材４４Ｂの先端部は、第２部材３２の第２領域３２Ｂに固定され、第２ピン部材４４Ｂの他端部は、軸受を介して第２対向部４２に回転可能に支持される。第１ピン部材４４Ａは、第２回転軸ＡＸ２を中心に回転可能に第１対向部４１に支持される。第２ピン部材４４Ｂは、第２回転軸ＡＸ２を中心に回転可能に第２対向部４２に支持される。これにより、保持部材４０は、第２回転軸ＡＸ２を中心に回転可能に第２部材３２に支持される。
【００４７】
第２支持機構３４は、第２回転軸ＡＸ２を中心に実質的に１８０［°］回転可能に保持部材４０を支持する。第２回転軸ＡＸ２を中心に保持部材４０が回転すると、第２部材３２の少なくとも一部と保持部材４０のベース部４３とが接触する。ベース部４３は、第２部材３２の回転を規制するストッパ部材として機能する。保持部材４０は、第２回転軸ＡＸ２を中心に実質的に１８０［°］だけ回転する。
【００４８】
第２部材３２は、第１部材３１の凹部３８に挿入される。第２部材３２は、第２部材３２の外面に設けられた凸部４５を有する。凸部４５は、第２部材３２の中心軸の放射方向において外側に突出する。凸部４５は、２つ設けられる。凸部４５は、第２部材３２の中心軸に対して一方側及び他方側のそれぞれに設けられる。第２部材３２の中心軸と直交する面内において、一方の凸部４５と他方の凸部４５とを結ぶ線は、第２部材３２の中心軸を通る。
【００４９】
図６に示すように、第１部材３１は、凸部４５が配置される凹部４６を有する。凹部４６は、凹部３８の内面に形成される。凸部４５が凹部４６に配置されるように、第２部材３２が第１部材３１の凹部３８に挿入される。凸部４５が凹部４６に配置されることにより、第１回転軸ＡＸ１を中心とする回転方向における第１部材３１と第２部材３２との相対移動が制限され、第１部材３１と第２部材３２とが位置決めされる。すなわち、第１部材３１と第２部材３２とは相対回転不可能に連結される。これにより、第２部材３２は、第１部材３１に挿入された状態で、第１回転軸ＡＸ１を中心とする回転方向に、第１部材３１と一緒に回転することができる。
【００５０】
図８に示すように、第２部材３２の内部に、複数の挿入口６３を有する接続部材６４が設けられる。第１部材３１に第２部材３２が挿入されると、第１部材３１の接続端子６１が第２部材３２の挿入口６３に挿入される。第１部材３１の接続端子６１が第２部材３２の挿入口６３に挿入されることにより、第１部材３１と第２部材３２とは通電可能となる。また、保持部材４０に保持されているコード２４は、保持部材４０の内部に設けられている内部コードを介して第２部材３２の接続部材６４に通電可能に接続されている。したがって、第１部材３１と第２部材３２とが接続されることにより、第１部材３１が装着されているアダプタ２３と、保持部材４０に保持されているコード２４とが、通電可能に接続される。
【００５１】
［動作］
次に、本実施形態に係る連結装置１００の動作の一例について説明する。図９は、本実施形態に係る連結装置１００の動作を説明するための側面図である。図１０は、本実施形態に係る連結装置１００の動作を説明するための下方から見た平面図である。
【００５２】
図９に示すように、第２部材３２が第１部材３１に挿入された状態で、保持部材４０は、第２回転軸ＡＸ２を中心に回転可能である。保持部材４０の回転により、保持部材４０のベース部４３と第１部材３１に固定されている第２部材３２の外面とが接触する。これにより、保持部材４０は、第２回転軸ＡＸ２を中心に実質的に１８０［°］だけ回転可能である。保持部材４０に保持されているコード２４も、保持部材４０と一緒に、第２回転軸ＡＸ２を中心に１８０［°］の範囲で回転する。
【００５３】
図１０に示すように、第１部材３１に挿入された第２部材３２は、第１部材３１と一緒に、第１回転軸ＡＸ１を中心に回転する。第１回転軸ＡＸ１を中心に第２部材３２が回転することにより、第２部材３２に連結されている保持部材４０も、第２部材３２と一緒に第１回転軸ＡＸ１を中心に回転する。第１支持機構３３のストッパ部材３９により、保持部材４０は、第１回転軸ＡＸ１を中心に実質的に９０［°］だけ回転可能である。したがって、保持部材４０に保持されているコード２４も、保持部材４０と一緒に、第１回転軸ＡＸ１を中心に９０［°］の範囲で回転する。
【００５４】
図１０（Ａ）に示すように、保持部材４０が第２部材３２の中心軸に対して一方側に配置されている場合、コード２４は、第１中心軸ＡＸ１と直交する面内において第１可動領域ＡＲ１を移動可能である。図１０（Ｂ）に示すように、保持部材４０が第２部材３２の中心軸に対して他方側に配置されている場合、コード２４は、第１中心軸ＡＸ１と直交する面内において、第１可動領域ＡＲ１とは異なる第２可動領域ＡＲ２を移動可能である。
【００５５】
このように、可動部材３０及び保持部材４０の回転により、コード２４は、ハウジング５０の下面５１を基準として半球状の範囲を移動可能である。
【００５６】
［使用例］
図１１は、本実施形態に係るバッテリ装置２０の使用例を模式的に示す図である。図１１に示すように、電動工具１０の使用者ＷＭは、バッテリ２１を含む本体ユニット２２を腰ベルト２００に装着する。アダプタ２３がバッテリ装着部１３に装着される。アダプタ２３がバッテリ装着部１３に装着されることにより、バッテリ装着部１３の工具側接続端子９１とアダプタ２３のアダプタ側接続端子９２とが通電可能に接続される。また、アダプタ２３に支持されている第１部材３１と第２部材３２とが接続されることにより、第１部材３１の接続端子６１が第２部材３２の挿入口６３に挿入される。接続端子６１とアダプタ側接続端子９２とはリード線により接続される。接続端子６１とアダプタ側接続端子９２とを接続するリード線の長さは、接続端子６１とアダプタ側接続端子９２との距離よりも長く、リード線は緩んだ状態で接続端子６１とアダプタ側接続端子９２とを接続する。これにより、第１部材３１が回転しても、リード線に過度な張力が作用することが抑制される。
【００５７】
バッテリ２１は、コード２４及びアダプタ２３を介してバッテリ装着部１３に電力を供給する。バッテリ２１からの電力は、コード２４、接続端子６１、リード線、アダプタ側接続端子９２、及び工具側接続端子９１を介して、バッテリ装着部１３に供給される。バッテリ装着部１３に供給された電力は、工具本体部１１に供給される。
【００５８】
使用者ＷＭは、電動工具１０のグリップ部１２を手で保持して、電動工具１０を用いる作業を実施する。
【００５９】
重量なバッテリ２１を含む本体ユニット２２が使用者ＷＭの腰ベルト２００に装着され、軽量なアダプタ２３が電動工具１０に装着されることにより、電動工具１０の操作性が向上する。
【００６０】
また、アダプタ２３とコード２４とが、可動部材３０と保持部材４０とを含む連結装置１００によって相対移動可能に連結される。したがって、使用者ＷＭが電動工具１０を様々な方向に向けながら使用した場合においても、電動工具１０の使用中にコード２４が過度に屈曲することが抑制される。そのため、屈曲したコード２４により電動工具１０に力が作用することが抑制され、電動工具１０の操作性の低下が抑制される。また、コード２４が過度に屈曲することが抑制されるため、コード２４の劣化又は損傷が抑制される。
【００６１】
［効果］
以上説明したように、本実施形態によれば、電動工具１０のバッテリ装着部１３に軽量なアダプタ２３が装着され、バッテリ２１からの電力がコード２４及びアダプタ２３を介して電動工具１０に供給される。アダプタ２３とコード２４とは、連結装置１００により相対移動可能に連結されるため、電動工具１０の使用中にコード２４が過度に屈曲することが抑制される。したがって、コード２４から電動工具１０に過度な力が作用することが抑制され、電動工具１０の操作性の低下が抑制される。また、コード２４が過度に屈曲することが抑制されるため、コード２４の劣化又は損傷が抑制される。
【００６２】
連結装置１００は、アダプタ２３に相対移動可能に支持される可動部材３０と、可動部材３０に相対移動可能に支持されコード２４を保持する保持部材４０とを含む。少なくとも２つの相対移動可能な機構が設けられることにより、アダプタ２３とコード２４とは十分に相対移動することができ、コード２４が過度に屈曲することが十分に抑制される。
【００６３】
連結装置１００は、第１回転軸ＡＸ１を中心に相対回転可能に可動部材３０を支持する第１支持機構３３と、第２回転軸ＡＸ２を中心に相対回転可能に保持部材４０を支持する第２支持機構３４とを含む。可動部材３０は、第１支持機構３３を介してアダプタ２３に装着され、第２支持機構３４を介してコード２４に接続される。これにより、連結装置１００は、簡易な構造でアダプタ２３とコード２４とを相対移動可能に連結することができる。
【００６４】
第１回転軸ＡＸ１に平行な軸と第２回転軸ＡＸ２とは直交する。これにより、アダプタ２３とコード２４とは、円滑に相対移動することができる。
【００６５】
アダプタ２３は、スライド機構８０を介してバッテリ装着部１３に装着される。スライド機構８０によるアダプタ２３のスライド方向に平行な軸と第１回転軸ＡＸ１とは直交する。これにより、電動工具１０の通常の使用形態において、コード２４の可動範囲が十分に確保され、アダプタ２３とコード２４とは円滑に相対移動することができる。
【００６６】
第１支持機構３３は、第１回転軸ＡＸ１を中心に実質的に９０［°］相対回転可能に可動部材３０を支持し、第２支持機構３４は、第２回転軸ＡＸ２を中心に実質的に１８０［°］相対回転可能に保持部材４０を支持する。これにより、コード２４は、アダプタ２３に対して実質的に半球状の可動範囲を円滑に動くことができる。また、可動部材３０の接続端子６１とアダプタ２３の内部に設けられている電気ケーブルとが接続されていても、可動部材３０の回転角度が９０［°］の範囲に制限されることにより、電気ケーブルに過度な力が作用することが抑制される。
【００６７】
可動部材３０は、アダプタ２３に支持される第１部材３１と、第１部材３１に着脱可能に接続され、第１部材３１に接続された状態で第１部材３１と通電可能な第２部材３２とを含む。これにより、バッテリ装置２０から電動工具１０に電力を供給しないときには、第１部材３１と第２部材３２とを分離して、電動工具１０からバッテリ装置２０を外すことができる。したがって、例えば使用者が休憩等のために電動工具１０を用いる作業を中断する場合、第１部材３１と第２部材３２とを分離することにより、電動工具１０を持ち歩くことなく、作業を中断することができる。
【００６８】
＜第２実施形態＞
図１２は、本実施形態に係るバッテリ装置２０の一例を模式的に示す側面図である。上述の実施形態においては、アダプタ２３のスライド方向に平行な軸と第１回転軸ＡＸ１とが直交することとした。図１２に示すように、アダプタ２３のスライド方向と第１回転軸ＡＸ１とが平行でもよい。また、第１部材３１がハウジング５０の後面５３に設けられている開口に配置されてもよい。
【００６９】
電動工具１０の使用形態によっては、第１部材３１がハウジング５０の後面５３に設けられ、アダプタ２３のスライド方向と第１回転軸ＡＸ１とが平行であることにより、コード２４の可動範囲が十分に確保され、アダプタ２３とコード２４とは円滑に相対移動することができる。アダプタ２３のスライド方向と第１回転軸ＡＸ１との相対角度は、電動工具１０の使用形態に基づいて設定されてもよい。
【００７０】
＜第３実施形態＞
上述の実施形態においては、バッテリ２１がケース２５に収容されることとした。バッテリ２１はケース２５に収容されなくてもよい。
【００７１】
図１３は、本実施形態に係るバッテリ装置２０Ｃの一例を示す斜視図である。バッテリ装置２０Ｃは、電動工具１０のバッテリ装着部１３に装着されるアダプタ２３と、バッテリ２１に接続されるコード２４と、アダプタ２３とコード２４とを相対移動可能に連結する連結装置１００とを備える。アダプタ２３は、上述の実施形態で説明したアダプタ２３と同様である。
【００７２】
バッテリ２１は、第２のアダプタ２３Ｃに装着される。アダプタ２３Ｃは、例えば使用者が着用する衣服に着脱可能に装着される。アダプタ２３Ｃは、衣服に固定される固定部３１０と、バッテリ２１が装着されるバッテリ装着部３２０とを有する。
【００７３】
固定部３１０は、衣服の少なくとも一部に掛けられることによって衣服に固定される。固定部３１０が衣服に固定されることにより、アダプタ２３Ｃが衣服に装着される。また、固定部３１０と衣服との固定が解除されることにより、アダプタ２３Ｃが衣服から外される。
【００７４】
バッテリ２１は、アダプタ２３Ｃのバッテリ装着部３２０に着脱可能に装着される。バッテリ装着部３２０は、バッテリ２１をガイドするガイド部材を有する。バッテリ２１は、バッテリ装着部３２０のガイド部材にガイドされながらスライド可能なスライド部材を有する。バッテリ２１がガイド部材にガイドされながらバッテリ装着部３２０をスライドしてバッテリ装着部３２０に装着されることにより、アダプタ２３Ｃとバッテリ２１とは通電可能となる。
【００７５】
ケーブル２４の一方の端子は、連結装置１００を介してアダプタ２３と連結される。ケーブル２４の他方の端子２４０は、アダプタ２３Ｃと連結される。
【００７６】
アダプタ２３Ｃは、ケーブル２４が接続される接続部３３０を有する。接続部３３０は、アダプタ２３０Ｃの一部に設けられた凹状の接続ポートを含む。なお、接続部３３０の位置は、図１３に示す位置に限定されず、他の位置に設けられてもよい。接続部３３０は、ケーブル２４の一方の端子２４０を装着可能である。ケーブル２４の端子２４０が接続部３３０に装着されることにより、ケーブル２４の端子２４０と接続部３３０とが通電可能に接続される。端子２４０は、接続部３３０に対して着脱可能である。なお、接続部３３０は、凹状ではなく、例えばアダプタ２３Ｃから突出した状態で設けられてもよい。また、アダプタ２３Ｃとケーブル２４とが一体で設けられてもよい。この場合、ケーブル２４には端子２４０が設けられず、アダプタ２３Ｃからケーブル２４が直接延び出した状態である。
【００７７】
なお、上述の実施形態においては、第１部材３１と第２部材３２とが接続されたとき、第１部材３１と第２部材３２とは相対移動不可能であることとした。第１部材３１と第２部材３２とが接続された状態で、第１部材３１と第２部材３２とが相対移動してもよい。
【００７８】
上述の実施形態においては、可動部材３０が第１部材３１と第１部材３１に着脱可能に接続される第２部材３２とを含むこととした。第１部材３１と第２部材３２とが単一の部材でもよい。電動工具１０からバッテリ装置２０を外すことができなくてもよい。
【００７９】
上述の実施形態において、第１支持機構３３は、第１回転軸ＡＸ１を中心に９０［°］とは異なる角度で相対回転可能に可動部材３０を支持してもよい。第１支持機構３３は、第１回転軸ＡＸ１を中心に、例えば６０［°］以上１２０［°］以下の範囲で相対回転可能に可動部材３０を支持してもよい。
【００８０】
上述の実施形態において、第２支持機構３４は、第２回転軸ＡＸを中心に１８０［°］とは異なる角度で相対回転可能に保持部材４０を支持してもよい。第２支持機構３４は、第２回転軸ＡＸ２を中心に、例えば１５０［°］以上２１０［°］以下の範囲で相対回転可能に保持部材４０を支持してもよい。
【００８１】
上述の実施形態において、第１回転軸ＡＸ１に平行な軸と第２回転軸ＡＸ２とは直交しなくてもよい。第１回転軸ＡＸ１に平行な軸と第２回転軸ＡＸ２とは、例えば６０［°］以上１２０［°］以下の範囲で交差してもよい。
【００８２】
上述の実施形態において、アダプタ２３と可動部材３０とは、第１支持機構３３を介して第１回転軸ＡＸ１を中心に相対回転可能に連結されることとした。アダプタ２３と可動部材３０とは相対移動可能であればよく、相対回転しなくてもよい。例えば、第１支持機構３３が可撓性部材を含み、アダプタ２３に対して可動部材３０が任意の方向に傾斜してもよい。
【００８３】
上述の実施形態において、可動部材３０と保持部材４０とは、第２支持機構３４を介して第２回転軸ＡＸ２を中心に相対回転可能に連結されることとした。可動部材３０と保持部材４０とは相対移動可能であればよく、相対回転しなくてもよい。例えば、第２支持機構３４が可撓性部材を含み、可動部材３０に対して保持部材４０が任意の方向に傾斜してもよい。
【符号の説明】
【００８４】
１０…電動工具、１１…工具本体部、１２…グリップ部、１３…バッテリ装着部、１４…工具、１５…ケース、１６…工具装着部、１７…ケース、１８…トリガ、２０…バッテリ装置、２１…バッテリ、２２…本体ユニット、２３…アダプタ、２４…コード、２５…ケース、２５Ａ…ケース本体、２５Ｂ…蓋、２５Ｃ…背面、２５Ｄ…腰ベルト通し孔、２５Ｅ…肩ベルト掛け部、２６…フック、２７…スライドロック、２８…コネクタ、３０…可動部材、３１…第１部材、３２…第２部材、３２Ａ…第１領域、３２Ｂ…第２領域、３３…第１支持機構、３４…第２支持機構、３５…ガイド溝、３５Ａ…第１ガイド面、３５Ｂ…第２ガイド面、３５Ｃ…第３ガイド面、３６…円柱部、３６Ａ…周壁部、３６Ｂ…円板部、３７…フランジ部、３８…凹部、３９…ストッパ部材、４０…保持部材、４１…第１対向部、４２…第２対向部、４３…ベース部、４４Ａ…第１ピン部材、４４Ｂ…第２ピン部材、４５…凸部、４６…凹部、５０…ハウジング、５１…下面、５２…前面、５３…後面、５４…右側面、５５…左側面、５６…上面、６０…開口、６１…接続端子、６２…溝、６２Ａ…壁面、６２Ｂ…壁面、６３…挿入口、６４…接続部材、８０…スライド機構、８１…スライド部材、８２…ガイド部材、９１…工具側接続端子、９２…アダプタ側接続端子、９３…信号端子、１００…連結装置、２００…腰ベルト、ＡＲ１…第１可動領域、ＡＲ２…第２可動領域、ＡＸ１…第１回転軸、ＡＸ２…第２回転軸、ＷＭ…使用者。
【図１】
2019096417.tif 000003
【図２】
2019096417.tif 000004
【図３】
2019096417.tif 000005
【図４】
2019096417.tif 000006
【図５】
2019096417.tif 000007
【図６】
2019096417.tif 000008
【図７】
2019096417.tif 000009
【図８】
2019096417.tif 000010
【図９】
2019096417.tif 000011
【図１０】
2019096417.tif 000012
【図１１】
2019096417.tif 000013
【図１２】
2019096417.tif 000014
【図１３】
2019096417.tif 000015